【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
上部、下部及び重量を伴っており、離れた場所にあるターゲットポイントに第１光ビームを送り、そのうち一部を第２ビームとして受け取る座標計測装置であって、
第１軸周り回動角たる第１回動角及び第２軸周り回動角たる第２回動角により定まる第１方向へと、その協働により第１光ビームを差し向ける第１モータ及び第２モータと、
アジマスベースに搭載され前記第２軸を有するゼニスキャリッジであり、該ゼニスキャリッジの厚みのある部分は上部に亘って延び、前記第２軸は前記アジマスベースに対して前記第１軸の周りに回動可能なゼニスキャリッジと、
第１モータがもたらす第１回動角を計測する第１角度計、並びに第２モータがもたらす第２回動角を計測する第２角度計と、
第１光検波器で受光された第２光ビームのうち第１部分に依り又は基づき、本装置からターゲットポイントまでの距離たる第１距離を計測する距離計と、
第１距離、第１回動角及び第２回動角の少なくとも一部に基づきターゲットポイントの三次元座標を求めるプロセッサと、
本装置の上部に位置する伸縮ハンドルと、
を備え、前記伸縮ハンドルは前記ゼニスキャリッジ内に入り、及び前記ゼニスキャリッジから出るように伸縮自在であり、前記伸縮ハンドルが引き出された状態のときに前記ゼニスキャリッジの厚みのある部分は前記上部に亘って延び続けることで剛性ゼニスキャリッジを提供する、座標計測装置。
【請求項２】
請求項１記載の座標計測装置であって、その伸縮ハンドルが、引き出された状態又は仕舞われた状態である現在の状態に、使用者が力を加えない限り留まる座標計測装置。
【請求項３】
請求項１記載の座標計測装置であって、伸縮ハンドルを挟み互いに逆側にあり且つ伸縮ハンドルのそばで前記ゼニスキャリッジの厚みのある部分に位置する第１指溝及び第２指溝を備え、それら第１及び第２指溝を利用し使用者の指で伸縮ハンドルを保持することが可能な座標計測装置。
【請求項４】
請求項１記載の座標計測装置であって、その下部に、指を差し入れうる大きさの窪みたる凹把部がある座標計測装置。
【請求項５】
請求項４記載の座標計測装置であって、伸縮ハンドルが凹把部とほぼ同じ高さまで下げられたときにその伸縮ハンドルで本装置の重量を支えることが可能な座標計測装置。
【請求項６】
請求項１記載の座標計測装置であって、第１側把部及び第２側把部を有する側把部対を備え、第１及び第２側把部が本装置の上部、下部間に位置し、第２側把部が第１側把部から見て本装置の逆側に位置する座標計測装置。
【請求項７】
請求項４記載の座標計測装置であって、第１及び第２側把部を有する側把部対を備え、第１及び第２側把部が本装置の上部、下部間に位置し、第２側把部が第１側把部から見て本装置の逆側に位置する座標計測装置。
【請求項８】
上部及び下部を伴っており、離れた場所にあるターゲットポイントに第１光ビームを送り、そのうち一部を第２ビームとして受け取る座標計測装置であって、
第１軸周り回動角たる第１回動角及び第２軸周り回動角たる第２回動角により定まる第１方向へと、その協働により第１光ビームを差し向ける第１モータ及び第２モータと、
アジマスベースに搭載され、前記第２軸を有し、前記アジマスベースに対して前記第１軸の周りに回動可能なゼニスキャリッジであり、前記第２軸と前記第１軸はジンバルポイントにおいて直交する、ゼニスキャリッジと、
第１モータがもたらす第１回動角を計測する第１角度計、並びに第２モータがもたらす第２回動角を計測する第２角度計と、
第１光検波器により受光された第２光ビームの第１部分に依り又は基づき、本装置からターゲットポイントまでの距離たる第１距離を計測する距離計と、
第１距離、第１回動角及び第２回動角の少なくとも一部に基づきターゲットポイントの三次元座標を求めるプロセッサと、
本装置の下部の前記アジマスベースにあり指を差し入れうる大きさの窪みたる凹把部と、
を備える座標計測装置。
【請求項９】
請求項８記載の座標計測装置であって、その上部に伸縮ハンドルがある座標計測装置。
【請求項１０】
請求項８記載の座標計測装置であって、第１側把部及び第２側把部を有する側把部対を備え、第１及び第２側把部が本装置の上部、下部間に位置し、第２側把部が第１側把部から見て本装置の逆側に位置する座標計測装置。
【請求項１１】
請求項９記載の座標計測装置であって、第１及び第２側把部を有する側把部対を備え、第１及び第２側把部が本装置の上部、下部間に位置し、第２側把部が第１側把部から見て本装置の逆側に位置する座標計測装置。
【請求項１２】
上部及び下部を伴っており、離れた場所にあるターゲットポイントに第１光ビームを送り、そのうち一部を第２ビームとして受け取る座標計測装置であって、
第１軸周り回動角たる第１回動角及び第２軸周り回動角たる第２回動角により定まる第１方向へと、その協働により第１光ビームを差し向ける第１モータ及び第２モータと、
アジマスベースに搭載され、前記第２軸を有し、前記第１軸の周りに回動可能なゼニスキャリッジと、
第１モータがもたらす第１回動角を計測する第１角度計、並びに第２モータがもたらす第２回動角を計測する第２角度計と、
第１光検波器により受光された第２光ビームの第１部分に依り又は基づき、本装置からターゲットポイントまでの距離たる第１距離を計測する距離計と、
第１距離、第１回動角及び第２回動角の少なくとも一部に基づきターゲットポイントの三次元座標を求めるプロセッサと、
本装置の上部、下部間に位置する第１側把部、並びに本装置の上部・下部間に位置し且つ第１側把部から見て本装置の逆側に位置する第２側把部を有し、両手で把持することが可能な、前記第２軸と前記アジマスベースの間の前記ゼニスキャリッジに位置する側把部対と、
を備える座標計測装置。
【請求項１３】
請求項１２記載の座標計測装置であって、第１及び第２側把部が側把部窪みを有する座標計測装置。
【請求項１４】
請求項１２記載の座標計測装置であって、第１及び第２側把部が弾性素材製の座標計測装置。
【請求項１５】
請求項１２記載の座標計測装置であって、その上部に伸縮ハンドルがある座標計測装置。
【請求項１６】
請求項１２記載の座標計測装置であって、その下部に、指を差し入れうる大きさの窪みたる凹把部がある座標計測装置。
【請求項１７】
請求項１５記載の座標計測装置であって、その下部に、指を差し入れうる大きさの窪みたる凹把部がある座標計測装置。
【請求項１８】
上部、下部及び重量を伴っており、離れた場所にあるターゲットポイントに第１光ビームを送り、そのうち一部を第２ビームとして受け取る座標計測装置であって、
第１軸周り回動角たる第１回動角及び第２軸周り回動角たる第２回動角により定まる第１方向へと、その協働により第１光ビームを差し向ける第１モータ及び第２モータと、
アジマスベースに搭載され前記第２軸を有するゼニスキャリッジであり、該ゼニスキャリッジの厚みのある部分は上部に亘って延び、前記第２軸は前記アジマスベースに対して前記第１軸の周りに回動可能なゼニスキャリッジと、
第１モータがもたらす第１回動角を計測する第１角度計、並びに第２モータがもたらす第２回動角を計測する第２角度計と、
第１回動角及び第２回動角の少なくとも一部に基づきターゲットポイントの三次元座標を求めるプロセッサと、
本装置の上部に位置する伸縮ハンドルと、
を備え、前記伸縮ハンドルは前記ゼニスキャリッジ内に入り、及び前記ゼニスキャリッジから出るように伸縮自在であり、前記伸縮ハンドルが引き出された状態のときに前記ゼニスキャリッジの厚みのある部分は前記上部に亘って延び続けることで剛性ゼニスキャリッジを提供する、座標計測装置。